(57)【特許請求の範囲】
【請求項１】
魚などの調理物を加熱調理するグリル装置と、前記グリル装置には開口を覆い開閉自在に配されたグリル扉と、前記グリル装置の上方もしくは後方に設けたグリル庫内の空気を前記グリル装置外に排出するための排気筒と、前記グリル庫内には前記調理物を直接のせて調理する調理用加熱プレートを載置し、前記グリル装置には前記調理用加熱プレートを上方から加熱する上加熱手段と下方から加熱する下加熱手段と、前記グリル庫内の温度を検知する庫内温度検知手段と、前記上加熱手段および前記下加熱手段の出力を制御する加熱制御手段とを備え、所定時間Ａ経過後に前記庫内温度検知手段の温度が所定温度低下した場合に、少なくとも前記下加熱手段の加熱出力を増加させる加熱調理器。
【請求項２】
前記所定時間Ａ経過後に前記庫内温度検知手段の温度が所定温度低下した場合に、前記下加熱手段の加熱出力のみ増加させる請求項１に記載の加熱調理器。
【請求項３】
一度加熱出力を増加させた後は、前記庫内温度検知手段の温度が所定温度低下しても前記加熱出力を増加しない請求項１または２に記載の加熱調理器。
【請求項４】
加熱を開始してから所定時間Ｔ以内に前記庫内温度検知手段が所定温度θ１以上の温度に到達した場合には、前記所定時間Ａ経過後に前記庫内温度検知手段の温度が所定温度低下しても前記加熱出力を増加しない請求項１〜３のいずれか１項に記載の加熱調理器。
【請求項５】
加熱開始時に前記庫内温度検知手段が所定温度θ２以上の温度の場合には、前記所定時間Ａ経過後に前記庫内温度検知手段の温度が所定温度低下しても前記加熱出力を増加しない請求項１〜４のいずれか１項に記載の加熱調理器。
【請求項６】
前記所定時間Ａ経過後に前記庫内温度検知手段の温度が所定温度低下した後、所定時間Ｂ経過以内に前記庫内温度検知手段が一定の温度上昇を検知した場合には、加熱出力を維持する請求項１〜５のいずれか１項に記載の加熱調理器。
【発明の詳細な説明】
【技術分野】
【０００１】
本発明は、一般家庭の台所や業務用の厨房等で使用される、グリル装置を備えた加熱調理器に関するものである。
【背景技術】
【０００２】
従来、この種の加熱調理器におけるグリル装置の概略構成は、グリル庫内に収容する調理物を載置するための焼網と、調理物から滴下する油や水分を受ける受皿と、グリル庫内の空気をグリル装置外に排出するための排気ダクトと、焼網と受皿の間に設置され、調理物を加熱する加熱手段と、グリル庫内の温度を検知する庫内温度検知手段と、加熱手段の出力を制御する加熱制御手段とを備え、所定出力により加熱手段を駆動し、庫内温度検知手段の温度変化によって通電を制御するものが一般的であり、近年では特に両面を同時に加熱するものが一般的である（例えば、特許文献１参照）。
【０００３】
図５は従来の加熱調理器のブロック図である。
【０００４】
図５において、グリル装置１００は、前面を開口したグリル庫１０１を有し、グリル庫１０１内部に調理物１０２を上方より加熱する上方加熱手段１０３と、下方より加熱する下方加熱手段１０４が取り付けられ、それぞれシーズヒーターあるいはハロゲンヒーターなどを熱源に使用する。
【０００５】
受皿１０５は、下方加熱手段１０４の下方に配置され、グリル庫１０１の開口を覆う扉の開閉と連動してグリル庫内に着脱される。
【０００６】
調理物１０２を載置するための焼網１０６は、受皿１０５に設置され、調理物１０２の載置面を下方加熱手段１０４の上方に配置し、受皿１０５と共にグリル庫１０１内に対し着脱される。
【０００７】
グリル庫内の温度を検知する庫内温度検知手段１０７は、サーミスタにより構成され、庫内温度を検出することができる。
【０００８】
加熱制御手段は、商用電源とヒーター間に接続されたリレーにより構成し、制御手段１０８の信号により上方加熱手段１０３、および下方加熱手段１０４をオン・オフする。
【０００９】
制御手段１０８は、マイコンにより構成し、庫内温度検知手段１０７により温度を検知し、操作部１０９により使用者が選択した動作モードに応じて加熱制御手段を介して上方、下方加熱手段のオン・オフを制御する。
【先行技術文献】
【特許文献】
【００１０】
【特許文献１】特開２００９−０５０４８７号公報
【発明の概要】
【発明が解決しようとする課題】
【００１１】
しかしながら、前記従来の受皿に水を入れる場合と入れない場合とに分け、焼網と受皿の間に魚を設置して焼く構成においては、金目鯛のように比較的大きく負荷の重い、かつ煮汁が出やすい魚を温度で検知するのは困難で、その結果制御しきれず生焼け状態となり、オート調理では適切に焼くことができないという課題を有していた。
【００１２】
本発明は、前記従来の課題を解決するもので、調理用加熱プレートに直接調理物をのせて調理を行うので、特に、金目鯛のように比較的大きく負荷の重い、かつ煮汁が出やすい魚を焼く場合には、その検知温度の特性から加熱出力を補正し、焼き足りない状態を改善することができる使い勝手の良い加熱調理器を提供することを目的とする。
【課題を解決するための手段】
【００１３】
前記従来の課題を解決するために、本発明の加熱調理器は、魚などの調理物を加熱調理するグリル装置と、前記グリル装置には開口を覆い開閉自在に配されたグリル扉と、前記グリル装置の上方もしくは後方に設けたグリル庫内の空気を前記グリル装置外に排出するための排気筒と、前記グリル庫内には前記調理物を直接のせて調理する調理用加熱プレートを載置し、前記グリル装置には前記調理用加熱プレートを上方から加熱する上加熱手段と下方から加熱する下加熱手段と、前記グリル庫内の温度を検知する庫内温度検知手段と、前記上加熱手段および前記下加熱手段の出力を制御する加熱制御手段とを備え、所定時間Ａ経過後に前記庫内温度検知手段の温度が所定温度低下した場合に、少なくとも前記下加熱手段の加熱出力を増加させるものである。
【００１４】
これによって、使用者がオート調理などで比較的大きく負荷量が重い魚（例えば、大型の真アジの２尾相当）よりも大きい金目鯛のような魚で負荷量が同程度であっても、調理用加熱プレートに直接のせて調理を行い、所定時間加熱調理を行っている間に煮汁が出ることで調理用加熱プレートの温度が緩やかに降下した場合には、その温度特性を検知することで加熱出力を追加補正し、焼き足りない状態を改善し適切な調理を行うことができ、かつ上記の大型の真アジの２尾相当のように煮汁によって調理用加熱プレートの温度が低下しない場合には、加熱出力の追加補正を行わずに適切な調理を行うことができる。
【発明の効果】
【００１５】
本発明の加熱調理器は、使用者がオート調理などで比較的大きく負荷量が重い魚であっても、調理用加熱プレートに直接のせて調理を行い、所定時間加熱調理を行っている間に煮汁が出ることで調理用加熱プレートの温度が緩やかに降下した場合には、その温度特性を検知することで加熱出力を追加補正し、焼き足りない状態を改善し適切な調理を行うことができる。
【図面の簡単な説明】
【００１６】
【図１】本発明の実施の形態１における加熱調理器の全体構成図
【図２】本発明の実施の形態１における加熱調理器の操作部を表す図
【図３】本発明の実施の形態１における加熱調理器の調理時の温度特性１Ａと加熱電力を表す図
【図４】本発明の実施の形態１における加熱調理器の調理時の温度特性２Ｂと加熱電力を表す図
【図５】従来の加熱調理器の回路ブロック図
【発明を実施するための形態】
【００１７】
第１の発明は、魚などの調理物を加熱調理するグリル装置と、前記グリル装置には開口を覆い開閉自在に配されたグリル扉と、前記グリル装置の上方もしくは後方に設けたグリル庫内の空気を前記グリル装置外に排出するための排気筒と、前記グリル庫内には前記調理物を直接のせて調理する調理用加熱プレートを載置し、前記グリル装置には前記調理用加熱プレートを上方から加熱する上加熱手段と下方から加熱する下加熱手段と、前記グリル庫内の温度を検知する庫内温度検知手段と、前記上加熱手段および前記下加熱手段の出力を制御する加熱制御手段とを備え、所定時間Ａ経過後に前記庫内温度検知手段の温度が所定温度低下した場合に、少なくとも前記下加熱手段の加熱出力を増加させることで、煮汁の出やすい特性の魚を焼く場合に調理途中で低下した温度に対して、加熱出力を補正できるので生焼けを防ぎ適切な調理を行うことができる。
【００１８】
第２の発明は、特に、第１の発明の加熱調理器において、前記所定時間Ａ経過後に前記庫内温度検知手段の温度が所定温度低下した場合に、前記下加熱手段の加熱出力のみ増加させることで、調理物の上面は焼きすぎずに現状維持し、かつ煮汁によって低下した調理物の下面は生焼けにならないように適切な調理を行うことができる。
【００１９】
第３の発明は、特に、第１または第２の発明の加熱調理器において、一度加熱出力を増加させた後は、前記庫内温度検知手段の温度が所定温度低下しても前記加熱出力を増加しないことで、調理物を焼きすぎずに適切な調理を行うことができる。
【００２０】
第４の発明は、特に、第１〜第３のいずれか１つの発明の加熱調理器において、加熱を開始してから所定時間Ｔ以内に前記庫内温度検知手段が所定温度θ１以上の温度に到達した場合には、前記所定時間Ａ経過後に前記庫内温度検知手段の温度が所定温度低下しても前記加熱出力を増加しないことで、軽い負荷の調理物を調理する場合には不要に火力を上げて焼きすぎないように適切な調理を行うことができる。
【００２１】
第５の発明は、特に、第１〜第４のいずれか１つの発明の加熱調理器において、加熱開始時に前記庫内温度検知手段が所定温度θ２以上の温度の場合には、前記所定時間Ａ経過後に前記庫内温度検知手段の温度が所定温度低下しても前記加熱出力を増加しないことで、高温状態で調理を開始したときに不要に火力を上げて調理物を焼きすぎないように適切な調理を行うことができる。
【００２２】
第６の発明は、特に、第１〜第５のいずれか１つの発明の加熱調理器において、前記所定時間Ａ経過後に前記庫内温度検知手段の温度が所定温度低下した後、所定時間Ｂ経過以内に前記庫内温度検知手段が一定の温度上昇を検知した場合には、加熱出力を維持することで、うっかりグリル扉を開けてしまったことによって温度低下したと判別し、加熱出力を維持することで不要に加熱出力を増加させることなく適切な調理を行うことができる。
【００２３】
以下、本発明の実施の形態について、図面を参照しながら説明する。なお、この実施の形態によって本発明が限定されるものではない。
【００２４】
（実施の形態１）
図１は、本発明の第１の実施の形態における加熱調理器の全体構成図、図２は、本発明の第１の実施の形態における加熱調理器の操作部を表す図、図３は、本発明の第１の実施の形態における加熱調理器の調理時の温度特性１Ａと加熱電力を表す図、図４は、本発明の第１の実施の形態における加熱調理器の調理時の温度特性２Ｂと加熱電力を表す図である。
【００２５】
図１において、グリル装置１は前面を開口したグリル庫２を有し、開口を覆い開閉自在に配されたグリル扉３と、グリル庫２内部に調理物４を上方より加熱する上加熱手段５と、下方より加熱する下加熱手段６が取り付けられている。
【００２６】
上加熱手段５、および下加熱手段６は、赤外線ヒーターにより構成され、商用電源電圧を印加されると発熱し、調理物４を加熱調理することができる。本実施の形態では上加熱手段５を１０００Ｗ、下加熱手段６を９００Ｗのヒーターとする。
【００２７】
なお、本実施の形態では、上加熱手段５および下加熱手段６を赤外線ヒーターにより構成するとしたが、他の熱源を使用してもよい。
【００２８】
また、本実施の形態では、上加熱手段５、下加熱手段６の消費電力をそれぞれ１０００Ｗ、９００Ｗとしたが、ヒーターの消費電力は庫内の広さおよびヒーター形状に応じて変更する必要があり、これに限られるものではない。
【００２９】
また、前記グリル庫２内には、調理物４を直接のせて調理する調理用加熱プレート７を載置し、グリル装置１内は、調理用加熱プレート７に対して、上方から上加熱手段５と下方から下加熱手段６で加熱する。
【００３０】
調理用加熱プレート７は、グリル扉３の開閉と連動してグリル庫２内に着脱される。本実施の形態においては、調理用加熱プレート７は、アルミダイキャスト製のものとする。
【００３１】
グリル装置１の後方には、グリル庫２内の空気をグリル装置１外に排出するための排気筒９を備え、グリル庫２内の温度を検知する庫内温度検知手段８はサーミスタにより構成し、排気筒９内に設けて庫内温度を検出することができる。
【００３２】
本実施の形態では、庫内温度検知手段８をグリル庫２内の温度を平均化した値を検知するために排気筒９内に設けたが、グリル庫２内の温度を精度よく検知できる場所であればこれに限定しない。
【００３３】
また、本実施の形態では庫内温度検知手段８をサーミスタにより構成するとしたが、白金センサや赤外線センサなどの温度検知素子を使用してもよい。
【００３４】
加熱制御手段１０は、商用電源とヒーター間に接続されたリレーにより構成し、制御手段１１の信号により上加熱手段５、および下加熱手段６をオン・オフする。
【００３５】
なお、本実施の形態では加熱制御手段１０をリレーにより構成するとしたが、トライアックやサイリスタといった半導体スイッチを使用してもよい。
【００３６】
制御手段１１はマイコンにより構成し、庫内温度検知手段８により温度を検知し、操作部１２により使用者が選択した動作モードに応じて加熱制御手段１０を介して上加熱手段５、下加熱手段６のオン・オフを制御する。
【００３７】
また、マイコンには記憶手段１３を設け、各種動作モードを記憶している。動作モードは、食材に応じた加熱パターン（一定の消費電力を一定時間あるいは一定温度まで保つ制御と、庫内温度を一定に保つ温調制御の組み合わせ）により調理を行うオート調理モードを備え、使用者が調理物の種類によって「生・姿焼き」、「切身・干物」のようにメニューを操作部１２により選択し、選択したメニューに応じた制御手段１１によって制御し調理を行う。
【００３８】
制御手段１１は、計時手段１４により計時された時間を用い、一定周期（本実施の形態では１６秒とする）内のオン・オフ比率を変更することで上加熱手段５、下加熱手段６の出力を制御する。
【００３９】
例えば、上加熱手段５のオンの出力を１０００Ｗに対して、平均電力を５００Ｗに制御するためには８秒間オンし、残りの８秒間をオフするように制御を行う。
【００４０】
次に、図２を用いて操作部の説明を行う。図２は本発明の第１の実施の形態における操作部１２を表す図である。
【００４１】
図２（ａ）は液晶表示部１２ａの表示画素を全点灯した図である。ポインタ１２ｂはメニューＳＷ１２ｃを押す毎に「生・姿焼き」、「切り身・干物」、「つけ焼き」、「とり肉」、「グラタン」、「焼きなす」と移動して、所定のメニューを選択することができる。
【００４２】
図２（ｂ）はメニューＳＷ１２ｃが押され、「生・姿焼き」が選択された図である。メニューＳＷ１２ｃによりメニューを選択し、切／入ＳＷ１２ｄを押すことで、選択されたメニューの調理を開始することができる。
【００４３】
また、アップ／ダウンＳＷである１２ｆ、１２ｅにより設定火力を選択することができ、焼き加減を選択することができる。調理中に再度、切／入ＳＷ１２ｄを押すことで加熱を停止することができる。
【００４４】
図２（ｃ）は、所定のメニューを選択する前、あるいは加熱中に、切／入ＳＷ１２ｄを押すことで加熱を停止したときの図である。
【００４５】
以上のように構成された加熱調理器について、以下その動作、作用を説明する。
【００４６】
図３、図４を用いて、グリル調理時の温度特性と検知動作および加熱電力の補正動作について説明する。なお、図１、図２に記した構成図の各部の番号は今後の説明において同一番号を使用して説明するものとする。
【００４７】
以下、説明を簡単にするためメニューＳＷ１２ｃによって、メニューを「生・姿焼き」選択したオート調理で、金目鯛を調理している時の動作を表しているものとする。
【００４８】
図３において、上グラフは排気筒９に備えた庫内温度検出手段８（以下、排気筒サーミスタと記す）による調理時の時間と共に変化する温度曲線を表し、下グラフは前述の温度曲線に対応する上加熱手段５と下加熱手段６の電力を足した電力を表す。
【００４９】
電力は、上加熱手段５および下加熱手段６において、それぞれ任意の比率でオン・オフしたときの各上限の電力（上加熱手段５は１０００Ｗ、下加熱手段６は９００Ｗ）に対する平均値とし、本発明の第１の実施の形態においては、総電力を１９００Ｗとする。
【００５０】
上グラフに示すように、調理を開始してから一定の温度まで上昇させるための予熱工程と一定の温度に到達してから、前記一定温度を保持するための温調工程があり、温調工程に移行してから任意の時間が経過すると、報知を行なう共に通電をオフにして調理を完了する。
【００５１】
図３に記すように、加熱開始と共に上加熱手段５と下加熱手段の合計１４００Ｗで通電して予熱を行う。排気筒サーミスタ温度が上昇し一定の温度に到達してから、上加熱手段５と下加熱手段の通電比率を変えて合計９５０Ｗの電力で制御し、加熱工程へ移行して一定の温度制御が行われる（温調工程）。
【００５２】
このとき、所定時間Ａが経過してから、排気筒サーミスタの最大温度を記憶手段１３で記憶しておく。その後、調理物の金目鯛から煮汁が出たことで、熱容量の大きいアルミダイキャスト製の調理用加熱プレート７に伝わり、調理用加熱プレート７の温度が低下することでグリル庫２内の温度が低下し、排気筒サーミスタがこれを検知する。
【００５３】
排気筒サーミスタが検知した検知温度が記憶している最大温度から所定温度（例えば、１０Ｋ低下）まで低下すると、下加熱手段６の通電比率を増加させる（例えば、平均電力２２５Ｗ増加）。
【００５４】
なお、図３の上グラフには同時に金目鯛と同じ重量レベルの魚（例えば、複数の魚や、大型の真アジの２尾など）を調理したときの排気筒サーミスタの温度曲線を二点鎖線で記す。
【００５５】
このように、排気筒サーミスタの温度曲線によって、下加熱手段６の通電比率を補正することで、温調工程で通常９５０Ｗで調理完了できる金目鯛と同じ重量の魚のシーケンスに対して、金目鯛のように大型で煮汁の出やすい魚が調理された場合でも、生焼け状態にならずに適切な調理を行なうことができる。
【００５６】
また、一度加熱出力を増加させた後は、排気筒サーミスタの温度が所定温度低下しても加熱出力を増加しないようにすることで、補正後に調理物を不要に焼きすぎずに調理を行うことができる。
【００５７】
また、加熱を開始してから所定時間Ｔ以内に前記庫内温度検知手段が所定温度θ１以上の温度に到達した場合には、前記所定時間Ａ経過後に前記庫内温度検知手段の温度が所定温度低下しても前記加熱出力を増加しないことで、軽い負荷の調理物を調理する場合には不要に火力を上げて焼きすぎないように適切な調理を行うことができる（図示せず）。
【００５８】
また、加熱開始時に前記庫内温度検知手段が所定温度θ２以上の温度の場合には、前記所定時間Ａ経過後に前記庫内温度検知手段の温度が所定温度低下しても前記加熱出力を増加しないことで、高温状態で調理を開始したときに不要に火力を上げて調理物を焼きすぎないように適切な調理を行うことができる（図示せず）。
【００５９】
なお、本実施の形態において、補正するのは下加熱手段６としているが、グリル装置の構成によっては、上加熱手段５のみ補正、または上加熱手段５と下加熱手段の双方を補正することもあるので限定はしない。
【００６０】
次に、図４において、図３同様に上グラフは排気筒サーミスタによる調理時の時間と共に変化する温度曲線を表し、下グラフは前述の温度曲線に対応する上加熱手段５と下加熱手段６の電力を足した電力を表す。また、図３同様に予熱工程と加熱工程の動作を表す。
【００６１】
図４に記すように、加熱開始と共に上加熱手段５と下加熱手段の合計１４００Ｗで通電して予熱を行う。
【００６２】
排気筒サーミスタ温度が上昇し一定の温度に到達してから、上加熱手段５と下加熱手段の通電比率を変えて合計９５０Ｗの電力で制御し、加熱工程へ移行して一定の温度制御が行われる（温調工程）。
【００６３】
このとき、所定時間Ａが経過してから、排気筒サーミスタの最大温度を記憶手段１３で記憶しておく。排気筒サーミスタが検知した検知温度が記憶している最大温度から所定温度（例えば、１０Ｋ低下）まで低下しても、所定時間Ｂまでに排気筒サーミスタが一定の温度を検知した場合には、電力は補正せず現状の電力を維持する。
【００６４】
このように、排気筒サーミスタの温度が低下しても、すぐに温度上昇してきた場合には、使用者がうっかりグリル扉３を開けてしまったことなどによって排気筒サーミスタの温度が低下したと判別し、現状の加熱出力を維持することで不要に加熱出力を増加させることなく適切な調理を行うことができる。
【産業上の利用可能性】
【００６５】
以上のように、本発明にかかる加熱調理器は、比較的大きく負荷の重い、かつ煮汁が出やすい魚を焼く場合には、その検知温度の特性から加熱出力を補正し、焼き足りない状態を改善することができるとともに、不要に加熱出力を補正することがないので使い勝手がよく適切な調理ができるので、組み込み式、テーブルの上で使用する卓上型、又は置き台の上で使用する据え置き型等で、家庭用又は業務用のグリル装置を備えた加熱調理器に有効である。
【符号の説明】
【００６６】
１、１００  グリル装置
２、１０１  グリル庫
３    グリル扉
４、１０２  調理物
５    上加熱手段
６    下加熱手段
７    調理用加熱プレート
８、１０７  庫内温度検知手段
９    排気筒
１０  加熱制御手段
【図１】
0005877311.tif 000002
【図２】
0005877311.tif 000003
【図３】
0005877311.tif 000004
【図４】
0005877311.tif 000005
【図５】
0005877311.tif 000006